【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
反芻動物前胃の固有−粘膜下組織の細胞外マトリックスを含む組織スキャフォールド。
【請求項２】
固有−粘膜下組織が第一胃に由来する、請求項１記載の組織スキャフォールド。
【請求項３】
上皮、基底膜、筋層及びそれらの組み合わせから成る群より選ばれる脱細胞化された組織をさらに含む、請求項１または請求項２に記載の組織スキャフォールド。
【請求項４】
I型コラーゲン、III型コラーゲン、エラスチン及びそれらの組み合わせから成る群より選ばれる繊維性タンパク質をさらに含む、請求項１−３のいずれか一項に記載の組織スキャフォールド。
【請求項５】
ＦＧＦ−２、ＴＧＦｂ１、ＴＧＦｂ２、ＶＥＧＦ及びそれらの組み合わせから成る群より選ばれる成長因子をさらに含む、請求項１−４のいずれか一項に記載の組織スキャフォールド。
【請求項６】
ヒアルロン酸、ヘパラン硫酸及びそれらの組み合わせから成る群より選ばれるグリコサミノグリカンをさらに含む、請求項１−５のいずれか一項に記載の組織スキャフォールド。
【請求項７】
フィブロネクチン、ラミニン、IV型コラーゲン及びそれらの組み合わせから成る群より選ばれる接着タンパク質をさらに含む、請求項１−６のいずれか一項に記載の組織スキャフォールド。
【請求項８】
起伏のある管腔表面を有する、請求項１−７のいずれか一項に記載の組織スキャフォールド。
【請求項９】
単一または積層シートとして構成される、請求項１−８のいずれか一項に記載の組織スキャフォールド。
【請求項１０】
２−１２の積層シートを含む、請求項９記載の組織スキャフォールド。
【請求項１１】
２またはそれ以上の積層シートの間に配置されたポリマーをさらに含む、請求項１０記載の組織スキャフォールド。
【請求項１２】
該ポリマーが、コラーゲン、キトサン、アルギン酸塩、ポリビニルアルコール、カルボキシメチルセルロース、ヒドロキシプロピルセルロース及びそれらの組み合わせから成る群より選ばれる、請求項１１記載の組織スキャフォールド。
【請求項１３】
該ポリマーが生物活性分子をさらに含む、請求項１１または請求項１２に記載の組織スキャフォールド。
【請求項１４】
該生物活性分子が、該ポリマーの層全体に分布している、請求項１３記載の組織スキャフォールド。
【請求項１５】
該生物活性分子が非共有的に該ポリマーに結合している、請求項１３記載の組織スキャフォールド。
【請求項１６】
該生物活性分子が共有的に該ポリマーに結合している、請求項１３記載の組織スキャフォールド。
【請求項１７】
該生物活性分子が小分子またはポリペプチドである、請求項１３記載の組織スキャフォールド。
【請求項１８】
該生物活性分子が、成長因子、抗菌剤、鎮痛剤、止血剤、血管新生促進剤、血管新生抑制剤及びそれらの組み合わせから成る群より選ばれる、請求項１７記載の組織スキャフォールド。
【請求項１９】
該生物活性分子が、ＦＧＦ２、ＮＧＦ、ドキシサイクリン、ポリ−Ｌ−リジン及びそれらの組み合わせから成る群より選ばれる、請求項１８記載の組織スキャフォールド。
【請求項２０】
該積層シートが縫合によりまとまって固定されている、請求項１０−１９のいずれか一項に記載の組織スキャフォールド。
【請求項２１】
該シートが、少なくとも１０ｃｍの幅及び少なくとも１０ｃｍの長さを有する、請求項１−２０のいずれか一項に記載の組織スキャフォールド。
【請求項２２】
該シートが、少なくとも８０Ｎの平均バースト強度を有する、請求項１−２１のいずれか一項に記載の組織スキャフォールド。
【請求項２３】
該反芻動物が、Ｃａｐｒａ、Ｂｏｓ、Ｃｅｒｖｕｓ及びＯｖｉｓから成る群より選ばれる属に属する、請求項１−２２のいずれか一項に記載の組織スキャフォールド。
【請求項２４】
該反芻動物がＯｖｉｓ  ａｒｉｅｓである、請求項１−２３のいずれか一項に記載の組織スキャフォールド。
【請求項２５】
請求項１−２４のいずれか一項に記載の組織スキャフォールドを含む、組成物。
【請求項２６】
組織欠損を被覆するための、請求項１−２４のいずれか一項に記載の組織スキャフォールドの使用。
【請求項２７】
該組織欠損が、少なくとも１０ｃｍの幅及び少なくとも１０ｃｍの長さを有する、請求項２６記載の使用。
【請求項２８】
該組織スキャフォールドが、該組織欠損内部での細胞増殖を増進する、請求項２６または請求項２７に記載の使用。
【請求項２９】
該組織スキャフォールドが、該組織欠損内部の脈管形成を増進する、請求項２６または請求項２７に記載の使用。
【請求項３０】
軟組織を強化するための、請求項１−２４のいずれか一項に記載の組織スキャフォールドの使用。
【請求項３１】
強化された軟組織が、少なくとも１０ｃｍの幅及び少なくとも１０ｃｍの長さを有するスキャフォールドで修復される、請求項３０記載の使用。
【請求項３２】
損傷組織の修復を誘導するための、請求項１−２４のいずれか一項に記載の組織スキャフォールドの、該損傷組織と該組織スキャフォールドとを接触させるための使用。
【請求項３３】
軟組織再生を活性化するための、請求項１−２４のいずれか一項に記載の組織スキャフォールドの、該軟組織と接触させるための使用。
【請求項３４】
該組織スキャフォールドが細胞増殖を誘導する、請求項３２または請求項３３に記載の使用。
【請求項３５】
該組織スキャフォールドが脈管形成を誘導する、請求項３２または請求項３３に記載の使用。
【請求項３６】
組織の脈管形成を誘導するための、脈管形成が該組織内部で起こるように、請求項１−２４のいずれか一項に記載の組織スキャフォールドの、該組織と接触させるための使用。
【請求項３７】
組織の全てまたは一部の内部の層を分離または脱細胞化する方法であって、該組織の全てまたは一部の内部の層が分離または脱細胞化されるように、該組織の２つの側面の間で貫壁性浸透流を作り出すことを含む方法。
【請求項３８】
貫壁性浸透流が該組織の管腔側から反管腔側へ作り出される、請求項３７記載の方法。
【請求項３９】
上皮、基底膜、筋層及びそれらの組み合わせから成る群より選ばれる組織層の全てまたは一部を除去することを含む、請求項３７または請求項３８に記載の方法。
【請求項４０】
該組織が、角化重層扁平上皮を含む、請求項３７−３９のいずれか一項に記載の方法。
【請求項４１】
該組織またはその一部の内部に第一の溶液を封入し、該第一の溶液より高張な第二の溶液に該組織またはその一部を浸す段階をさらに含む、請求項３７−４０のいずれか一項に記載の方法。
【請求項４２】
該組織またはその一部を該第二の溶液から取り出し、同様に該第一の溶液より高張な第三の溶液に該組織またはその一部を浸す段階をさらに含む、請求項４１記載の方法。
【請求項４３】
該組織またはその一部の内部に第一の溶液を封入し、該第一の溶液より低張な第二の溶液に該組織またはその一部を浸す段階をさらに含む、請求項３７−４０のいずれか一項に記載の方法。
【請求項４４】
該組織またはその一部を該第二の溶液から取り出し、同様に該第一の溶液より低張な第三の溶液に該組織またはその一部を浸す段階をさらに含む、請求項４３記載の方法。
【請求項４５】
該第二の溶液が、水、任意に少なくとも一つのバッファー、デタージェントまたは塩を含む、請求項４３または請求項４４に記載の方法。
【請求項４６】
該第一の溶液が、４Ｍ  ＮａＣｌを含む、請求項４３または請求項４４に記載の方法。
【請求項４７】
該第二の溶液が、０．０２８％Ｔｒｉｔｏｎ  Ｘ−２００及び０．１％ＥＤＴＡを含み、該第三の溶液が０．０２８％ＳＤＳを含む、請求項４６記載の方法。
【請求項４８】
該第二の溶液が０．１％ＳＤＳを含み、該第三の溶液が０．０２８％Ｔｒｉｔｏｎ  Ｘ−２００及び０．１％ＥＤＴＡを含む、請求項４６記載の方法。
【請求項４９】
該方法を２℃と４℃との間の温度で３６時間未満で行う、請求項３７−４８のいずれか一項に記載の方法。
【請求項５０】
該方法を４℃で行う、請求項３７−４９のいずれか一項に記載の方法。
【請求項５１】
該方法を２４時間未満で行う、請求項３７−５０のいずれか一項に記載の方法。
【請求項５２】
該第二の溶液が０．０２８％Ｔｒｉｔｏｎ  Ｘ−２００、０．１％ＥＤＴＡ及び０．１％ＳＤＳを含む、請求項４６記載の方法。
【請求項５３】
該方法を１８℃と２４℃との間の温度で行う、請求項５２記載の方法。
【請求項５４】
該方法を６時間未満で行う、請求項５２または請求項５３に記載の方法。
【請求項５５】
該貫壁性浸透流を増やすために、該組織またはその一部を膨張させる、請求項３７−５４のいずれか一項に記載の方法。
【請求項５６】
該組織が器官全体またはその一部である、請求項３７−５５のいずれか一項に記載の方法。
【請求項５７】
該組織が反芻動物前胃に由来する、請求項３７−５６のいずれか一項に記載の方法。
【請求項５８】
該組織が第一胃である、請求項５７記載の方法。
【請求項５９】
該反芻動物が、Ｃａｐｒａ、Ｂｏｓ、Ｃｅｒｖｕｓ及びＯｖｉｓから成る群より選ばれる属に属する、請求項５７または請求項５８に記載の方法。
【請求項６０】
該反芻動物がＯｖｉｓ  ａｒｉｅｓである、請求項５９記載の方法。
【請求項６１】
請求項３７−６０のいずれか一項に記載の方法によって生成される組織スキャフォールド。
【請求項６２】
請求項３７−６０のいずれか一項に記載の方法を行うことを含む、組織スキャフォールドを形成する方法。
【請求項６３】
反芻動物前胃の固有−粘膜下組織の細胞外マトリックスを含む、患者内部の乳房組織を支持するための移植可能な組織スキャフォールド装置。
【請求項６４】
該乳房組織が人工器官を含む、請求項６３記載の装置。
【請求項６５】
２またはそれ以上の細胞外マトリックスの層を含む積層シートとして構成された、請求項６３または請求項６４に記載の装置。
【請求項６６】
該積層シートが、４−８の細胞外マトリックスの層を含む、請求項６５記載の装置。
【請求項６７】
凹面を有する、請求項６３−６６のいずれか一項に記載の装置。
【請求項６８】
該細胞外マトリックス層が、縫合によってまとまって固定されている、請求項６５−６７のいずれか一項に記載の装置。
【請求項６９】
該細胞外マトリックスに孔が開いている、請求項６３−６８いずれか一項に記載の装置。
【請求項７０】
該細胞外マトリックスに孔が開いていない、請求項６３−６８のいずれか一項に記載の装置。
【請求項７１】
該装置が三日月型を有する、請求項６３−７０のいずれか一項に記載の装置。
【請求項７２】
該装置が楕円型を有する、請求項６３−７０のいずれか一項に記載の装置。
【請求項７３】
患者内部の乳房組織を支持するための請求項６３−７２のいずれか一項に記載の装置の使用であって、該乳房組織に対して支持する位置で、該患者内部に該装置を配置することによる使用。
【請求項７４】
該乳房組織が人工乳房を含む、請求項７３記載の使用。
【請求項７５】
該乳房組織が天然組織を含む、請求項７３記載の使用。
【請求項７６】
該配置が該乳房組織の下部及び側面部を被覆することを含む、請求項７３−７５のいずれか一項に記載の使用。
【請求項７７】
シートの間に配置されたポリマーによって積層された、反芻動物前胃の固有−粘膜下組織の２またはそれ以上の細胞外マトリックスのシートを含む、組織スキャフォールド。
【請求項７８】
該細胞外マトリックスがコラーゲンを含む、請求項７７記載の組織スキャフォールド。
【請求項７９】
該ポリマーがコラーゲン、キトサン、アルギン酸塩、ポリビニルアルコール、カルボキシメチルセルロース、ヒドロキシプロピルセルロース及びそれらの組み合わせから成る群より選ばれる、請求項７７または請求項７８に記載の組織スキャフォールド。
【請求項８０】
該ポリマーが生物活性分子をさらに含む、請求項７７−７９のいずれか一項に記載の組織スキャフォールド。
【請求項８１】
該生物活性分子が非共有的に該ポリマーに結合している、請求項８０記載の組織スキャフォールド。
【請求項８２】
該生物活性分子が共有的に該ポリマーに結合している、請求項８０記載の組織スキャフォールド。
【請求項８３】
該生物活性分子が小分子またはポリペプチドである、請求項８０記載の組織スキャフォールド。
【請求項８４】
該生物活性分子が、成長因子、抗菌剤、鎮痛剤、止血剤、血管新生促進剤、血管新生抑制剤及びそれらの組み合わせから成る群より選ばれる、請求項８３記載の組織スキャフォールド。
【請求項８５】
該生物活性分子が、ＦＧＦ２、ＮＧＦ、ドキシサイクリン、ポリ−Ｌ−リジン及びそれらの組み合わせから成る群より選ばれる、請求項８４記載の組織スキャフォールド。